(57)【要約】【課題】プロテクタの強度向上させる技術を提供する。【解決手段】プロテクタ１０は、断面略Ｕ字形状で上部を開口とする収容部本体５０と、その開口を塞ぐ蓋体３０とを備え、収容部本体５０と蓋体３０はロック機構２０により固定され、断面略ロ字形状のケーブル収容空間にワイヤーハーネス等のケーブルが収納される。収容部本体５０の側面５２ａの上方開口側の端部には、厚さ外側方向に所定長突出する補強用の補強リブ６０が横方向に延びて形成されている。そして、ロック機構２０の受け側として機能する係止受け部６３が所望の位置に形成されている。【選択図】図３
2010088243.tif 000002
【特許請求の範囲】
【請求項１】
蓋体と収容部本体とが係止手段と係止受け手段からなるロック機構により固定され、内部に収容するケーブルを保護するプロテクタであって、
前記係止受け手段が、当該プロテクタを補強するためのリブに形成されていることを特徴とするプロテクタ。
【請求項２】
前記リブは、前記収容部本体の開口端部に形成されていることを特徴とする請求項１に記載のプロテクタ。
【請求項３】
前記リブは、複数の前記係止受け手段を備えていることを特徴とする請求項２に記載のプロテクタ。
【請求項４】
前記リブは、前記蓋体と前記収容部本体が固定されるときに、前記蓋体の端部と当接する位置に形成されていることを特徴とする請求項１から３までのいずれかに記載のプロテクタ。
【請求項５】
前記ロック機構は、スナップフィット式であることを特徴とする請求項１から４までのいずれかに記載のプロテクタ。
【発明の詳細な説明】
【技術分野】
【０００１】
本発明は、プロテクタに係り、内部に電線やワイヤーハーネス等を収容してそれらを保護するプロテクタに関する。
【背景技術】
【０００２】
車両等では、ワイヤーハーネス等を保護するために内部にそのワイヤーハーネス等を収容するプロテクタが用いられる。この種のプロテクタとして例えば図１に示すものがある（特許文献１参照）。このプロテクタ３１０は、天板３１１及び天板３１１の両側に配された一対の側板３１２，３１３を有しワイヤハーネス３８０を収容するプロテクタ本体３１５と、を備えている。また、ヒンジの反対側に５個配された側板係止部３３１〜３３５が、第１の側板３１２の底部に形成された底板固定部３３６〜３４０にスナップアクション式（スナップフィット式）に係合され、第１の側板３１２に固定されている。これにより、底板が第１の側板３１２に固定されることによって、天板３１１と、第１，第２の側板３１２，３１３と、底板とから断面視ロ字形状をなしてワイヤハーネス３８０を収容する空間が形成される。
【０００３】
図２は、プロテクタの構造に関して、特に収容部本体と天板とのロック機構について着目して示した図である。図２（ａ）や図２（ｂ）に示すように、プロテクタ１００ａ，１００ｂは、蓋体（天板）１３０と収容部本体１５０とからなり、蓋体（天板）１３０と収容部本体１５０とはロック機構１２０により固定される。ロック機構１２０は、蓋体１３０に形成された係止片１３３が、収容部本体１５０に形成された係止受け部１６３にスナップフィット式に係合する構成となっている。
【０００４】
【特許文献１】特開２００４−６４９１９号公報
【発明の開示】
【発明が解決しようとする課題】
【０００５】
ところで、プロテクタによっては、ねじれや曲がりなどの変形が起こり易いケースがある。そこでプロテクタは、補強のためにリブを設けていることがある。例えば、図２（ａ）のプロテクタ１００ａでは、開口１１２の両側に上面視で略三角形の補強リブ１６０が設けられている。しかし、従来のプロテクタ１００ａでは、ロック機構１２０の配置スペースが優先されて補強リブ１６０が小さくなったり、ときには、図２（ｂ）に示すように、補強リブを設けることができなくなることがあった。その結果、プロテクタ１００の強度が不足してしまうことがあった。
【０００６】
本発明は、このような状況に鑑みてなされたものであり、上記課題を解決して、プロテクタの強度を向上させる技術を提供することを目的とする。
【課題を解決するための手段】
【０００７】
本発明のある態様は、プロテクタに関する。このプロテクタは、蓋体と収容部本体とが係止手段と係止受け手段からなるロック機構により固定され、内部に収容するケーブルを保護するプロテクタであって、前記係止受け手段が、当該プロテクタを補強するためのリブに形成されている。
また、前記リブは、前記収容部本体の開口端部に形成されてもよい。
また、前記リブは、複数の前記係止受け手段を備えてもよい。
また、前記リブは、前記蓋体と前記収容部本体が固定されるときに、前記蓋体の端部と当接する位置に形成されてもよい。
また、前記ロック機構は、スナップフィット式でもよい。
【発明の効果】
【０００８】
本発明によれば、プロテクタの補強用のリブとロック機構の構造とを一体化することによって、プロテクタの強度向上及びロック機能の構造の強度向上が実現できる。
【発明を実施するための最良の形態】
【０００９】
以下、発明を実施するための最良の形態（以下、「実施形態」という）を、図面を参照しつつ説明する。
【００１０】
図３は、本実施形態に係るプロテクタ１０の外観を示す斜視図である。プロテクタ１０は、樹脂成形された蓋体３０と同じく樹脂成形された収容部本体５０とからなる。なお、図４は、蓋体３０と収容部本体５０との構造を説明するために分離した状態で示したプロテクタ１０の斜視図である。実際には、蓋体３０の側端３２ｂと収容部本体５０の側面５２ｂの上側端部が一体でヒンジ構造を有している。また、ここで示しているプロテクタ１０は、一部を抽出して示したものである。
【００１１】
図示のように、プロテクタ１０は、断面略Ｕ字形状で上部を開口とする収容部本体５０と、その開口を塞ぐ蓋体３０とを備え、収容部本体５０と蓋体３０はロック機構２０により固定され、断面略ロ字形状のケーブル収容空間にワイヤーハーネス等のケーブルが収納される。またここでは、第１〜第３のロック機構２０ａ〜２０ｃの３つのロック機構２０が表示されており、特に区別しないときには単に「ロック機構２０」として説明する。なお、蓋体３０と収容部本体５０の奥側の固定構造は上述のヒンジ構造に限らず、ロック機構２０と同様構造であってもよい。
【００１２】
なお、各ロック機構２０は、後述するように、蓋体３０の係止片３３と収容部本体５０の係止受け部６３（係止孔６９）により構成されている。そして、収容部本体５０と蓋体３０とによって形成されるケーブル収容空間に、ワイヤーハーネスが収容される。また、プロテクタ１０には、第１及び第２のロック機構２０ａ，２０ｂに挟まれるようにして開口１２が形成され、プロテクタ１０の内部が確認可能になっている。
【００１３】
蓋体３０において、幅方向（Ｘ方向）の両端側が所定の幅だけ、曲面３８となって、側端面３２ａが下側を向いている。そして、図示では横方向（Ｙ方向）の略中央の位置に、開口１２の外縁の一部を構成する上側開口枠３６が、幅方向に所定長突出して形成されている。また、蓋体３０の側端３２ａの近傍で曲面３８の部分には、所定の位置に係止片３３が形成されている。具体的には、開口１２の図示左側の第１のロック機構２０ａを構成する第１の係止片３３ａと、開口１２の図示右側の第２のロック機構２０ｂを構成する第２の係止片３３ｂと、図示で右側の位置の第３のロック機構２０ｃを構成する第３の係止片３３ｃとが形成されている。なお、第１〜第３の係止片３３ａ〜３３ｃを区別しないときには、「係止片３３」として説明する。
【００１４】
係止片３３は、側端３２ａの近傍の曲面部分から下側方向へ延出する係止片本体３４と、係止片本体３４の先端近傍に形成され、外側に突出する係止突起３５とから構成されている。係止片本体３４は、その弾性特性によって係止受け部６３とスナップフィット式に係止するために、前後方向（図示Ｘ前後方向）に可動する。
【００１５】
収容部本体５０は、底板５１と、図示前側の側面５２ａと、図示後側の側面５２ｂと、を備え、上側が開口となる断面視で略Ｕ字形状を有している。
【００１６】
収容部本体５０の側面５２ａの上方開口側の端部には、厚さ外側方向（図示Ｘ方向）に所定長突出する補強用の補強リブ６０が横方向（図示ではＹ方向）に延びて形成されている。つまり、蓋体３０と収容部本体５０とが固定されるときに、蓋体３０の側端３２ａと当接する位置に収容部本体５０の補強リブ６０が形成されている。また、側面５２ａに形成された開口１２の領域では、補強リブ６０は開口１２の外縁を囲むようになって、開口枠６６を形成している。
【００１７】
補強リブ６０には、ロック機構２０の受け側として機能する係止受け部６３が所望の位置に形成されている。係止受け部６３は、補強リブ６０の上下方向に貫通する上面視で略矩形の開口が係止孔６９として、蓋体３０の係止片３３の形成位置に対応した位置に形成されている。係止孔６９のサイズは、係止片３３が挿通可能かつ、固定時に係止片３３が係止可能な大きさとなっている。
【００１８】
より具体的には、開口１２の図示左側の第１のロック機構２０ａを第１の係止片３３ａとともに構成する第１の係止受け部６３ａと、開口１２の図示右側の第２のロック機構２０ｂを第２の係止片３３ｂとともに構成する第２の係止受け部６３ｂと、図示で右側の位置の第３のロック機構２０ｃを第３の係止片３３ｃとともに構成する第３の係止受け部６３ｃと、が形成されている。なお、第１〜第３の係止受け部６３ａ〜６３ｃを区別しないときには、単に「係止受け部６３」として説明する。
【００１９】
係止受け部６３は、補強リブ６０の他の部分と同じ長さだけ突出しており、また、高さ方向には、開口枠６６を除く他の領域の高さよりも下側に若干長くなるように形成されている。つまり、係止受け部６３の下側面６８が、補強リブ６０の下側の面よりも低くなっている。係止受け部６３の下側面６８の位置は、係止片３３の係止突起３５の係止位置に対応して決定される。したがって、補強リブ６０が厚い場合には、係止受け部６３の下側面６８が、補強リブ６０の下側の面と同じ高さになったり、さらには高い位置になって凹状となってもよい。
【００２０】
この係止孔６９に、蓋体３０の係止片３３が挿通され、係止片３３の係止突起３５が係止受け部６３の下側の面にスナップフィット式に係止することで、収容部本体５０と蓋体３０とが固定される。
【００２１】
具体的には、係止片本体３４は、後述の係止受け部６３（係止孔６９）を挿通するときには、後ろ方向（Ｘ後方向）に弾性変形し、係止突起３５が係止受け部６３の下側面６８と係止するときには、前方（Ｘ前方向）に弾性付勢される。
【００２２】
以上のように、プロテクタ１０の補強のためのリブ（補強リブ６０）と、蓋体３０と収容部本体５０の固定のためのロック機構の構造とを一体化させることで、プロテクタ１０の強度向上だけでなく、ロック自体の強度向上を実現できる。つまり、補強リブ６０の中にロック構造の機能を含ませたことで、ロック形状の変形を低減することができ、ロック自体の強度向上が図れる。
【００２３】
以上、本発明を実施形態を基に説明した。この実施形態は例示であり、それらの各構成要素及びその組合せにいろいろな変形例が可能なこと、またそうした変形例も本発明の範囲にあることは当業者に理解されるところである。例えば、補強リブが蓋体に形成される構造のプロテクタの場合は、実施形態の係止受け部６３（係止孔６９）に相当する構造は蓋体の補強リブに形成され、収容部本体に係止片が形成される。
【図面の簡単な説明】
【００２４】
【図１】従来技術に係る、プロテクタの斜視図である。
【図２】従来技術に係る、プロテクタの斜視図である。
【図３】実施形態に係る、プロテクタの斜視図である。
【図４】実施形態に係る、プロテクタの斜視図であり、蓋体と収容部本体を分離した状態で示した図である。
【符号の説明】
【００２５】
１０  プロテクタ
１２  開口
２０  ロック機構
３０  蓋体
３２ａ,３２ｂ  側端
３３  係止片
３４  係止片本体
３５  係止突起
３６  開口枠
５０  収容部本体
５１  底板
５２ａ、５２ｂ  側面
６０  補強リブ
６３  係止受け部
６９  係止孔
【図１】
2010088243.tif 000003
【図２】
2010088243.tif 000004
【図３】
2010088243.tif 000005
【図４】
2010088243.tif 000006